(57)【要約】【課題】ユーザに効率良く情報を提供することのできる情報転送方法及び車載装置を提供すること。【解決手段】車載装置４０は、配信情報Ｎ１がユーザにより閲覧されたか否かを示す未読既読情報を前記配信情報Ｎ１と関連付けて配信情報記憶部４１に記憶し、配信情報Ｎ１のうち、車両のイグニッションスイッチがオフされた時点でユーザにより閲覧されていない未読情報Ｎ２が存在する場合に、その未読情報Ｎ２を情報端末６０に送信する。【選択図】      図４
2005027111.tif 000002
【特許請求の範囲】
【請求項１】
配信情報を記憶する配信情報記憶部を有する車載装置と、その車載装置より転送された情報を記憶する転送情報記憶部を有する情報端末との間で情報転送を行う情報転送方法であって、
前記車載装置は、
前記配信情報がユーザにより閲覧されたか否かを示す未読既読情報を前記配信情報と関連付けて前記配信情報記憶部に記憶し、
前記配信情報のうち、車両のイグニッションスイッチがオフされた時点で前記ユーザにより閲覧されていない未読情報が存在するか否かを前記未読既読情報に基づいて判断し、該未読情報が存在する場合に、その未読情報を前記情報端末に送信する第１の情報転送処理を行うことを特徴とする情報転送方法。
【請求項２】
前記車載装置は、
前記未読情報を前記情報端末にて表示可能なサイズ、フォーマットに変換して前記情報端末に送信することを特徴とする請求項１記載の情報転送方法。
【請求項３】
前記車載装置は、前記配信情報を蓄積する情報データベースを備えた情報提供装置と接続されており、前記情報データベースより取得した前記配信情報を前記配信情報記憶部に記憶することを特徴とする請求項１又は２記載の情報転送方法。
【請求項４】
前記情報端末は、
前記車載装置より転送された未読情報が前記ユーザにより閲覧されたか否かを示す未読既読情報を前記未読情報と関連付けて前記転送情報記憶部に記憶し、
前記未読情報のうち、車両のイグニッションスイッチがオンされた時点で前記ユーザにより閲覧されている既読情報が存在するか否かを前記未読既読情報に基づいて判断し、該既読情報が存在する場合に、その既読情報が前記未読情報のうち何れの情報であるかを前記車載装置に通知する第２の情報転送処理を行い、
前記車載装置は、
前記情報端末からの通知に基づいて、前記既読情報に対応する未読既読情報を前記配信情報記憶部内において変更することを特徴とする請求項１乃至３の何れか一項記載の情報転送方法。
【請求項５】
前記情報端末は、
該情報端末により新たに取得した新規取得情報が前記ユーザにより閲覧されたか否かを示す未読既読情報を前記新規取得情報と関連付けて前記転送情報記憶部に記憶し、
前記新規取得情報のうち、車両のイグニッションスイッチがオンされた時点で前記ユーザにより閲覧されていない未読情報が存在するか否かを前記未読既読情報に基づいて判断し、該未読情報が存在する場合に、その未読情報を前記車載装置に送信する第３の情報転送処理を行うことを特徴とする請求項１乃至４の何れか一項記載の情報転送方法。
【請求項６】
車両に搭載される車載装置であって、
ユーザに提供する配信情報と、その配信情報が前記ユーザにより閲覧されたか否かを示す未読既読情報とが互いに関連付けて記憶される配信情報記憶部と、
前記配信情報のうち、車両のイグニッションスイッチがオフされた時点で前記ユーザにより閲覧されていない未読情報が存在するか否かを前記未読既読情報に基づいて判断し、該未読情報が存在する場合にその転送処理を行う制御手段とを備えることを特徴とする車載装置。
【発明の詳細な説明】
【０００１】
【発明の属する技術分野】
本発明は、情報転送方法及び車載装置に係り、詳しくは車両に搭載される車載装置と情報端末との間で行う情報転送方法に関するものである。
【０００２】
【従来の技術】
近年、車両に搭載されるカーナビゲーション装置などの車載装置は高機能化が進み、ユーザにとって、より利便性の高い多目的情報端末として利用されるようになってきている。従来、こうした車載装置に対して情報センターからニュースなどの情報を配信し、その情報をユーザが車両内において閲覧できるようにした技術が知られている（例えば特許文献１参照）。
【０００３】
【特許文献１】
特開２００１−１０９７７１号公報
【０００４】
【発明が解決しようとする課題】
ところが、従来の技術では、車載装置に配信された情報をユーザが閲覧できる場所は車両内だけであったため、目的地が近く閲覧時間が限られる場合や、配信された情報量が多い場合には、全ての情報を車両内だけで閲覧することができない場合があった。
【０００５】
このような場合、ユーザは、例えばＰＤＡ等の携帯端末を用いて情報センターにアクセスし、車載装置に配信された情報と同じ情報を再び取得することで、車両内で閲覧できなかった情報を閲覧することができる。しかしながら、こうした操作は、時間や手間を要するため、ユーザにとってきわめて利便性の悪いものであった。
【０００６】
本発明は上記問題点を解決するためになされたものであって、その目的は効率的にユーザに情報を提供することのできる情報転送方法及び車載装置を提供することにある。
【０００７】
【課題を解決するための手段】
上記目的を達成するため、請求項１に記載の発明によれば、配信情報を記憶する配信情報記憶部を有する車載装置と、該車載装置より転送される情報を記憶する転送情報記憶部を有する情報端末との間で情報転送を行う情報転送方法であって、前記車載装置は、前記配信情報がユーザにより閲覧されたか否かを示す未読既読情報を前記配信情報と関連付けて前記配信情報記憶部に記憶し、前記配信情報のうち、車両のイグニッションスイッチがオフされた時点で前記ユーザにより閲覧されていない未読情報が存在するか否かを前記未読既読情報に基づいて判断し、該未読情報が存在する場合に、その未読情報を前記情報端末に送信する第１の情報転送処理を行う。この方法によれば、配信情報のうち、車両内で車載装置により閲覧できなかった未読情報を、情報端末を利用して車両外でも閲覧することが可能となる。また、この方法では、車載装置と情報端末で未読情報を共有するため、該未読情報を情報端末を使用して新たに取得する為の時間や費用を削減することができる。従って、効率的にユーザに情報を提供することができる。
【０００８】
請求項２に記載の発明によれば、前記車載装置は、前記未読情報を前記情報端末にて表示可能なサイズ、フォーマットに変換して前記情報端末に転送する。この方法によれば、車両内で閲覧できなかった未読情報に画像データ等が含まれている場合にも、ユーザはその情報を携帯端末を使用して閲覧することができる。
【０００９】
請求項３に記載の発明によれば、前記車載装置は、前記配信情報を蓄積する情報データベースを備えた情報提供装置と接続されており、前記情報データベースより取得した前記配信情報を前記配信情報記憶部に記憶する。
【００１０】
請求項４に記載の発明によれば、前記情報端末は、前記車載装置より転送された未読情報が前記ユーザにより閲覧されたか否かを示す未読既読情報を前記未読情報と関連付けて前記転送情報記憶部に記憶し、前記未読情報のうち、車両のイグニッションスイッチがオンされた時点で前記ユーザにより閲覧されている既読情報が存在するか否かを前記未読既読情報に基づいて判断し、該既読情報が存在する場合に、その既読情報が前記未読情報のうち何れの情報であるかを前記車載装置に通知する第２の情報転送処理を行い、前記車載装置は、前記情報端末からの通知に基づいて、前記既読情報に対応する未読既読情報を前記配信情報記憶部内において変更する。この方法によれば、車両内で閲覧されなかった情報であっても、携帯端末を使用して閲覧された情報は、車載装置側において既読の情報として記憶される。従って、より効率良くユーザに情報を提供することができる。
【００１１】
請求項５に記載の発明によれば、前記情報端末は、前記情報端末に新たに取得した新規取得情報が前記ユーザにより閲覧されたか否かを示す未読既読情報を前記新規取得情報と関連付けて前記転送情報記憶部に記憶し、前記新規取得情報のうち、車両のイグニッションスイッチがオンされた時点で前記ユーザにより閲覧されていない未読情報が存在するか否かを前記未読既読情報に基づいて判断し、該未読情報が存在する場合に、その未読情報を前記車載装置に送信する第３の情報転送処理を行う。この方法によれば、携帯端末を使用して新たに取得した情報のうち閲覧できなかった情報を、車両内において引き続き閲覧することができる。従って、効率的且つ経済的にユーザに情報を提供することができる。
【００１２】
請求項６に記載の発明によれば、車載装置は、配信情報と、その配信情報がユーザにより閲覧されたか否かを示す未読既読情報とが互いに関連付けて記憶される配信情報記憶部と、前記配信情報のうち、車両のイグニッションスイッチがオフされた時点で前記ユーザにより閲覧されていない未読情報が存在するか否かを前記未読既読情報に基づいて判断し、該未読情報が存在する場合にその転送処理を行う制御手段とを備える。この構成によれば、ユーザは、配信情報のうち車両内で閲覧できなかった未読情報を車両外でも閲覧可能となる。
【００１３】
【発明の実施の形態】
以下、本発明を具体化した一実施の形態を図１〜図８に従って説明する。
図１は、本実施の形態の情報転送システムの全体構成図である。同図に示すように、ユーザの自宅に設置された情報提供装置としてのコンピュータ（以下「ホームサーバ」と称す）１０は、インターネット２０を介して、図示しない情報センターに接続されると共に、無線ＬＡＮ（Ｌｏｃａｌ  Ａｒｅａ  Ｎｅｔｗｏｒｋ）３０を介して、ユーザの車両に搭載された車載装置４０と接続される。また、この車載装置４０は、無線ＬＡＮ５０を介して、情報端末としてのユーザの携帯端末６０と接続される。尚、本実施の形態では、車載装置４０と携帯端末６０とは無線ＬＡＮ５０を介して通信する態様としたが、これに限らず、ケーブルを介して有線通信する態様としてもよい。
【００１４】
ホームサーバ１０は、情報センターから配信される例えばニュース等の各種の情報を配信情報として蓄積する情報データベース１１を備えている。このホームサーバ１０は、情報センターが提供するウェブページ上で、ユーザが情報センターからの配信を希望する配信情報の選択を行う場合等に用いられ、同サーバ１０は、ユーザにより予め設定された登録内容に基づいて情報センターから配信された配信情報を情報データベース１１に蓄積する。
【００１５】
また、このホームサーバ１０は、無線ＬＡＮ３０を介して車載装置４０と通信し、情報データベース１１に蓄積した配信情報を車載装置４０に転送する。このため、ホームサーバ１０は、制御手段（ＣＰＵ）、前記情報データベース１１を有する記憶手段（ＲＡＭ，ＲＯＭ，ハードディスク等）、通信手段、表示手段（モニタ等）、入力手段（キーボードやマウス等）を備えている（図示略）。尚、このホームサーバ１０は、情報データベース１１への車載装置４０からのアクセスを受け付けるため、ユーザが家にいない場合であっても、常時、電源を入れておくものとする。
【００１６】
車載装置４０は、ユーザの所有する車両に搭載された例えばカーナビゲーション装置であって、図４に示すように、この車載装置４０は、前記ホームサーバ１０より取得した配信情報Ｎ１を記憶する配信情報記憶部４１を備えている。すなわち、車載装置４０は、上述した無線ＬＡＮ３０を介してホームサーバ１０と通信し、前記情報データベース１１より取得した配信情報Ｎ１を配信情報記憶部４１に記憶する。これにより、車載装置４０は、配信情報記憶部４１に記憶されている配信情報Ｎ１をユーザに提供（表示等）する。
【００１７】
ここで、本実施の形態において、前記配信情報記憶部４１には、図４に示すように、配信情報Ｎ１がユーザにより閲覧されたか否かの属性を示す未読既読情報が、該配信情報Ｎ１として提供される各情報毎に関連付けられて個別に記憶されるようになっている。詳しくは、配信情報Ｎ１のうち、ユーザにより既に閲覧された情報に対しては「既読」の属性を示す未読既読情報が付与され、ユーザによりまだ閲覧されていない情報に対しては「未読」の属性を示す未読既読情報が付与されるようになっている。
【００１８】
そして、後述するように、車載装置４０は、無線ＬＡＮ５０を介して携帯端末６０と通信し、配信情報記憶部４１に記憶されている配信情報Ｎ１のうちユーザにより閲覧されていない未読情報Ｎ２を、所定の条件の下で携帯端末６０に転送する。このため、車載装置４０は、本実施の形態の情報転送処理を制御する制御手段（ＣＰＵ）、前記配信情報記憶部４１を有する記憶手段（ＲＡＭ，ＲＯＭ，ハードディスク等）、通信手段、表示手段（液晶パネル等）、入力手段（押しボタンスイッチやタッチパネルスイッチ等）、ＧＰＳを備えている（図示略）。
【００１９】
携帯端末６０は、ユーザの所有する例えばＰＤＡ（Ｐｅｒｓｏｎａｌ  Ｄｉｇｉｔａｌ  Ａｓｓｉｓｔａｎｔ）であって、図６に示すように、この携帯端末６０は、上述した無線ＬＡＮ５０を介して車載装置４０から転送された未読情報Ｎ２を記憶する転送情報記憶部６１を備えている。これにより、携帯端末６０は、転送情報記憶部６１に記憶した未読情報Ｎ２をユーザに提供（表示等）する。
【００２０】
ここで、本実施の形態において、前記転送情報記憶部６１には、図６に示すように、前記車載装置４０から転送された未読情報Ｎ２がユーザにより閲覧されたか否かを示す未読既読情報が、該未読情報Ｎ２として提供される各情報毎に関連付けられて個別に記憶されるようになっている。そして、後述するように、携帯端末６０は、無線ＬＡＮ５０を介して車載装置４０と通信し、転送情報記憶部６１に記憶されている未読情報Ｎ２のうち同端末６０を用いてユーザにより閲覧された既読情報Ｎ３を、所定の条件の下で車載装置４０に通知するようになっている。
【００２１】
また、本実施の形態において、前記転送情報記憶部６１には、図８に示すように、携帯端末６０により新たに取得された新規取得情報Ｎ４が、前記同様、未読既読情報とともに記憶されるようになっている。そして、後述するように、携帯端末６０は、無線ＬＡＮ５０を介して車載装置４０と通信し、転送情報記憶部６１に記憶されている新規取得情報Ｎ４のうちユーザにより閲覧されていない未読情報Ｎ５を、所定の条件の下で車載装置４０に転送するようになっている。
【００２２】
このため、携帯端末６０は、本実施の形態の情報転送処理を制御する制御手段（ＣＰＵ）、前記転送情報記憶部６１を有する記憶手段（ＲＡＭ，ＲＯＭ，ハードディスク等）、通信手段、表示手段（液晶パネル等）、入力手段（押しボタンスイッチやタッチパネルスイッチ等）を備えている（図示略）。
【００２３】
次に、本実施の形態における情報転送処理について詳述する。
まず、車載装置４０から携帯端末６０へ情報転送を行う第１の情報転送処理の態様について図２〜図４を参照しながら説明する。
【００２４】
この第１の情報転送処理は、車載装置４０がホームサーバ１０（情報データベース１１）より取得した配信情報Ｎ１に基づいて、携帯端末６０への情報転送を行う処理である。尚、この第１の情報転送処理では、初期状態として、車両のイグニッションスイッチ（以下「ＩＧ」と表記する）がオンされており、車載装置４０が動作中の状態を想定している。
【００２５】
図２に示すように、車載装置４０は、まず、無線ＬＡＮ３０を介してホームサーバ１０と通信し、情報データベース１１に蓄積されている配信情報Ｎ１を取得する（ステップ１００）。車載装置４０は、この取得した配信情報Ｎ１をユーザに提供する（ステップ１１０）。
【００２６】
次いで、車載装置４０は、ＩＧがオフ（ＯＦＦ）されたかどうかを判断する（ステップ１２０）。この時、車載装置４０は、ＩＧがオフされていなければ、上記ホームサーバ１０より取得した配信情報Ｎ１を引き続きユーザに提供する。一方、車載装置４０は、ＩＧがオフされている場合には、上記ホームサーバ１０より取得した配信情報Ｎ１の中にまだ閲覧されていない未読情報Ｎ２があるか否かを判断する（ステップ１３０）。この時、車載装置４０は、未読情報Ｎ２がなければ処理を終了する（即ち携帯端末６０への情報転送を行わない）。一方、車載装置４０は、未読情報Ｎ２がある場合には、それを無線ＬＡＮ５０を介して携帯端末６０に転送（ダウンロード）する（ステップ１４０）。
【００２７】
このステップ１４０のダウンロード処理について詳述すると、図３に示すように、車載装置４０は、まず、携帯端末６０へ転送する未読情報Ｎ２の内容を確認し（ステップ１４１）、その未読情報Ｎ２が携帯端末６０で表示することができる情報かどうかを判断する（ステップ１４２）。このとき具体的には、転送する情報がテキストデータのみの情報か、より詳しくは、転送する情報に画像データが含まれていないかどうかを確認する。そして、車載装置４０は、転送する未読情報Ｎ２がテキストデータのみの場合にはそのテキストデータを送信し、画像データが含まれている場合にはそれを転送先の携帯端末６０にて表示可能なサイズ及びフォーマットに変換して（ステップ１４３）、携帯端末６０へ転送する（ステップ１４４）。
【００２８】
以上のような第１の情報転送処理の具体例を図４に従って説明すると、今、車載装置４０の配信情報記憶部４１には、ホームサーバ１０より取得した各種のニュースが配信情報Ｎ１として記憶されている。尚、ここでは例えば、「国内ニュース１」，「国内ニュース２」，「国内ニュース３」，「海外ニュース１」，「海外ニュース２」，「スポーツニュース１」，「スポーツニュース２」，「天気」が配信情報Ｎ１として記憶されている。これにより、ユーザは、車両内において、これらの情報（配信情報Ｎ１）を閲覧することができる。
【００２９】
この配信情報Ｎ１のうちユーザにより閲覧された情報は、配信情報記憶部４１内において、その未読既読情報が「未読」から「既読」に随時変更され、既読の情報として記憶される。そして、配信情報Ｎ１のうち、車両のＩＧがオフされた時点でユーザにより閲覧されていない未読情報Ｎ２は、上記したように、必要に応じてサイズ，フォーマット変換された後、無線ＬＡＮ５０を介して携帯端末６０にダウンロードされる。尚、ここでは例えば、「海外ニュース２」，「スポーツニュース１」，「スポーツニュース２」，「天気」が未読情報Ｎ２としてダウンロードされる。これにより、ユーザは、車両内では閲覧することができなかったこれらの情報（未読情報Ｎ２）を、携帯端末６０を利用して車両外で閲覧することができる。
【００３０】
次に、携帯端末６０から車載装置４０へ情報転送を行う第２の情報転送処理の態様について図５，図６を参照しながら説明する。
この第２の情報転送処理は、上述した第１の情報転送処理（車載装置４０から携帯端末６０への未読情報Ｎ２のダウンロード）がなされた後において実施される処理である。尚、この第２の情報転送処理では、初期状態として、車両のＩＧがオフされており、車載装置４０が停止中（待機中）の状態を想定している。
【００３１】
上記したように、配信情報Ｎ１のうち、ＩＧがオフされた時点でユーザによって閲覧されていない未読情報Ｎ２は、車載装置４０から携帯端末６０にダウンロードされて、携帯端末６０の転送情報記憶部６１に記憶される（図２〜図４参照）。携帯端末６０は、この未読情報Ｎ２のうち、同端末６０を用いてユーザにより閲覧された情報について、その未読既読情報を変更する。すなわち、携帯端末６０は、車載装置４０よりダウンロードした未読情報Ｎ２のうち、当該ダウンロード後にユーザにより閲覧された情報の未読既読情報を「未読」から「既読」に変更する。
【００３２】
今、ＩＧがオンされ、携帯端末６０と車載装置４０との間で無線ＬＡＮ５０を介した通信状態が確立されると、図５に示すように、まず、携帯端末６０は、上記車載装置４０からダウンロードした未読情報Ｎ２がユーザにより閲覧されたかどうかを確認する（ステップ２００）。そして、携帯端末６０は、未読情報Ｎ２の中に、ダウンロード後にユーザにより閲覧された情報（既読情報Ｎ３）があるか否かを未読既読情報に基づいて判断する（ステップ２１０）。
【００３３】
この時、携帯端末６０は、既読情報Ｎ３がなければ処理を終了する（即ち車載装置４０への情報転送を行わない）。一方、携帯端末６０は、既読情報Ｎ３がある場合には、その情報が上記ダウンロードした未読情報Ｎ２のうちどの情報であるかを車載装置４０に通知する（ステップ２２０）。
【００３４】
そして、車載装置４０は、携帯端末６０より送信された情報を基に、前記既読情報Ｎ３に対応する未読既読情報を配信情報記憶部４１内において変更する（ステップ２３０）。すなわち、車載装置４０は、携帯端末６０にダウンロードした未読情報Ｎ２のうち、同携帯端末６０においてユーザにより閲覧された情報については、それを既読情報Ｎ３とみなし、その未読既読情報を「未読」から「既読」に変更する。
【００３５】
以上のような第２の情報転送処理の具体例を図６を参照しながら説明すると、今、携帯端末６０の転送情報記憶部６１には、上記第１の情報転送処理によって車載装置４０よりダウンロードされた各種のニュースが未読情報Ｎ２として記憶されている。尚、ここでは例えば、「海外ニュース２」，「スポーツニュース１」，「スポーツニュース２」，「天気」が未読情報Ｎ２として記憶されている。これにより、ユーザは、車両内では閲覧することができなかったこれらの情報（未読情報Ｎ２）を、携帯端末６０を利用して車両外で閲覧することができる。
【００３６】
この未読情報Ｎ２のうちユーザにより閲覧された情報は、転送情報記憶部６１内において、その未読既読情報が「未読」から「既読」に随時変更され、既読の情報として記憶される。そして、未読情報Ｎ２のうち、車両のＩＧがオンされた時点でユーザにより閲覧されている既読情報Ｎ３が車載装置４０に通知される。尚、ここでは例えば、「海外ニュース２」，「スポーツニュース１」が既読情報Ｎ３として車載装置４０に通知される。
【００３７】
これにより、車載装置４０において、配信情報記憶部４１に記憶されている「海外ニュース２」，「スポーツニュース１」についてはそれぞれ既読されたものとみなされ、それらの未読既読情報が「未読」から「既読」に変更される。換言すれば、配信情報記憶部４１には、未読情報Ｎ２のうち、携帯端末６０において閲覧されなかった情報のみが、引き続き未読のものとして記憶される。従って、ユーザは、携帯端末６０にて閲覧することができなかった情報を、車両内において車載装置４０で引き続き閲覧することができる。
【００３８】
次に、携帯端末６０から車載装置４０へ情報転送を行う第３の情報転送処理の態様について図７，図８を参照しながら説明する。
この第３の情報転送処理は、例えば無線ＬＡＮ７０（図８）を介してインターネット２０より新たに携帯端末６０にダウンロードした情報（新規取得情報Ｎ４）をもとに、携帯端末６０から車載装置４０に情報転送を行う処理である。尚、この第３の情報転送処理では、初期状態として、車両のＩＧがオフされており、車載装置４０が停止中（待機中）の状態を想定している。
【００３９】
今、ＩＧがオンされ、携帯端末６０と車載装置４０との間で無線ＬＡＮ５０を介した通信状態が確立されると、図７に示すように、まず、携帯端末６０は、インターネット２０より新たにダウンロードした新規取得情報Ｎ４があるか否かを転送情報記憶部６１内にて確認する（ステップ３００）。
【００４０】
次いで、携帯端末６０は、新規取得情報Ｎ４のうち、ユーザによってまだ閲覧されていないもの、すなわち未読情報Ｎ５があるか否かを未読既読情報に基づいて判断する（ステップ３１０）。この時、未読情報Ｎ５がなければ処理を終了する（即ち車載装置４０への情報転送を行わない）。一方、携帯端末６０は、未読情報Ｎ５がある場合には、その未読情報Ｎ５を車載装置４０に転送する（ステップ３２０）。そして、車載装置４０は、携帯端末６０より転送されたこの未読情報Ｎ５を配信情報記憶部４１に記憶する。
【００４１】
以上のような第３の情報転送処理の具体例を図８を参照しながら説明すると、今、携帯端末６０の転送情報記憶部６１には、上記第１の情報転送処理によって車載装置４０よりダウンロードした未読情報Ｎ２とともに、インターネット２０より新たにダウンロードした情報（新規取得情報Ｎ４）が記憶されている。尚、ここでは例えば、「国内ニュース４」，「スポーツニュース３」が新規取得情報Ｎ４として記憶されている。これにより、ユーザは、車両内では閲覧することができなかった未読情報Ｎ２に加えて、新たに取得した情報を携帯端末６０を利用して閲覧することができる。
【００４２】
尚、車載装置４０よりダウンロードした未読情報Ｎ２については、上記第２の情報転送処理（図５，図６参照）にて説明したとおりであるので、以下の説明では便宜上省略する。因みに、本実施の形態では、上記第２の情報転送処理と第３の情報転送処理とは並行して行われるが、勿論第３の情報転送処理が第２の情報転送処理とは独立して行われることもあり得る。
【００４３】
新規取得情報Ｎ４のうちユーザにより閲覧された情報は、転送情報記憶部６１内において、その未読既読情報が「未読」から「既読」に随時変更され、既読の情報として記憶される。そして、新規取得情報Ｎ４のうち、車両のＩＧがオンされた時点でユーザにより閲覧されていない未読情報Ｎ５は、無線ＬＡＮ５０を介して車載装置４０に転送される。尚、ここでは例えば、「スポーツニュース３」が未読情報Ｎ５として車載装置４０に転送される。
【００４４】
これにより、車載装置４０の配信情報記憶部４１には、新規取得情報Ｎ４のうち、ユーザによって閲覧されなかった未読情報Ｎ５が記憶される。従って、ユーザは、携帯端末６０を使用して新たに取得した情報のうち閲覧することができなかった情報を、車両内において閲覧することができる。
【００４５】
以上記述したように、本実施の形態によれば、以下の効果を奏する。
（１）車載装置４０に配信された配信情報Ｎ１のうち、ＩＧがオフされた時点でユーザにより閲覧されていない未読情報Ｎ２が存在する場合には、それを携帯端末６０に転送するようにした。このため、目的地が近い場合や、車載装置４０に配信された情報量が多い場合等において、車両内で全ての情報を閲覧できなかった場合にも、ユーザは、携帯端末６０を使用して未読情報Ｎ２を閲覧することができる。従って、ユーザに効率良く情報を提供することができる。
【００４６】
（２）上記（１）のように、ＩＧがオフされた時点で配信情報Ｎ１内に存在する未読情報Ｎ２を自動的に携帯端末６０に転送し、車載装置４０と携帯端末６０とで同一の情報（未読情報Ｎ２）を共有するようにしたため、新たに情報を取得するための時間や手間並びに費用を削減することができる。従って、経済的にも優れたより利便性の高いサービス（情報）の提供が可能となる。
【００４７】
（３）車載装置４０から携帯端末６０にダウンロードする未読情報Ｎ２に画像データが含まれている場合には、その情報を携帯端末６０にて表示可能なサイズ，フォーマットに変換してデータ転送を行うようにした。従って、車両内で閲覧できなかった未読情報Ｎ２に画像情報が含まれている場合にも、ユーザは、その情報を携帯端末６０を使用して閲覧することができる。
【００４８】
（４）車載装置４０から携帯端末６０にダウンロードされた未読情報Ｎ２のうち、ＩＧがオンされた時点でユーザにより閲覧されている既読情報Ｎ３が存在する場合には、その既読情報Ｎ３に対応する未読既読情報を車載装置４０側において変更するようにした。このため、車両内で閲覧されなかった情報であっても、携帯端末６０を使用して閲覧された情報は、車載装置４０側において既読の情報として記憶される。従って、ユーザに、より効率良く情報を提供することが可能となる。
【００４９】
（５）携帯端末６０を使用して新たに取得した情報がある場合において、その新規取得情報Ｎ４のうち、ＩＧがオンされた時点でユーザによりまだ閲覧されていない未読情報Ｎ５が存在する場合には、それを車載装置４０に転送するようにした。これにより、ユーザは、携帯端末６０を使用して新たに取得した情報のうち閲覧することができなかった情報を、車両内において引き続き閲覧することができる。
【００５０】
（６）上記（５）のように、ＩＧがオンされた時点で新規取得情報Ｎ４内に存在する未読情報Ｎ５を自動的に車載装置４０に転送し、車載装置４０と携帯端末６０とで同一の情報（未読情報Ｎ５）を共有するようにしたため、新たに情報を取得するための時間や手間並びに費用を削減することができる。従って、経済的にも優れたより利便性の高いサービス（情報）の提供が可能となる。
【００５１】
（７）本実施の形態では、車載装置４０と携帯端末６０とで相互に情報転送を行うことで、ユーザは、車両内（車載装置４０）と車両外（携帯端末６０）とで同一の情報を享受することが可能となる。従って、情報の閲覧場所を問わず、各ユーザに応じた効率的な情報提供を行うことが可能である。
【００５２】
尚、上記実施の形態は、以下の態様で実施してもよい。
・上記実施の形態では、情報センターからの配信情報Ｎ１をホームサーバ１０を介して車載装置４０に配信する態様としたが、直接車載装置４０に配信するようにしてもよい。
【００５３】
・上記実施の形態では、車載装置４０としてカーナビゲーション装置に適用したが、これに限らず、例えばカーオーディオ装置などその他広く車両に搭載される装置に適用してもよい。
【００５４】
・上記実施の形態では、携帯端末６０としてＰＤＡに適用したが、これに限らず、携帯電話機やノート型パソコンなど、その他広く携帯型の情報端末に適用してもよい。また、車載装置４０から情報転送を行う端末としては、携帯型の情報端末に限らない。
【００５５】
・上記実施の形態において、車載装置４０及び携帯端末６０に配信する情報としてはニュースに限定されず、その他メール等であってもよい。
【００５６】
【発明の効果】
以上詳述したように、本発明によれば、効率的にユーザに情報を提供することのできる情報転送方法及び車載装置を提供することができる。
【図面の簡単な説明】
【図１】本発明の一実施の形態の情報転送システムを示す全体構成図。
【図２】第１の情報転送処理（車載装置から携帯端末への情報転送）を示すフローチャート。
【図３】図２のダウンロード処理の詳細を示すフローチャート。
【図４】第１の情報転送処理の具体例を示す説明図。
【図５】第２の情報転送処理（携帯端末から車載装置への情報転送）を示すフローチャート。
【図６】第２の情報転送処理の具体例を示す説明図。
【図７】第３の情報転送処理（携帯端末から車載装置への情報転送）を示すフローチャート。
【図８】第３の情報転送処理の具体例を示す説明図。
【符号の説明】
１０…情報提供装置としてのホームサーバ、１１…情報データベース、４０…車載装置、４１…配信情報記憶部、６０…情報端末としての携帯端末、６１…転送情報記憶部、Ｎ１…配信情報、Ｎ２…未読情報、Ｎ３…既読情報、Ｎ４…新規取得情報、Ｎ５…未読情報。
【図１】
2005027111.tif 000003
【図２】
2005027111.tif 000004
【図３】
2005027111.tif 000005
【図４】
2005027111.tif 000006
【図５】
2005027111.tif 000007
【図６】
2005027111.tif 000008
【図７】
2005027111.tif 000009
【図８】
2005027111.tif 000010